(57)【要約】【課題】複数の加熱源に異常状態が検出された場合に、その中で最も優先順位の高い加熱源に関わる異常原因のみを表示器に表示し、その加熱源に対応する異常報知ランプで報知することを目的とする。【解決手段】複数の加熱手段３と、加熱手段毎の加熱量等を制御する加熱制御手段４と、加熱手段毎の加熱、停止等を入力する操作手段５と、タイマ時間を設定するタイマ設定手段８と、タイマ設定手段８により設定されたタイマ時間を表示するタイマ表示手段９と、加熱手段毎の加熱量等を表示する加熱量表示手段６と、加熱手段毎の異常を検出する異常検出手段７とを備え、複数の加熱手段に関する異常が検出された場合には、それぞれの異常原因を優先順位を設けずに交互にタイマ表示手段および加熱量表示手段６に出力し、使用者にそれぞれの異常原因を正確に示すこと。【選択図】図１
2006064234.tif 000002
【特許請求の範囲】
【請求項１】
鍋を加熱する複数の加熱手段と、前記加熱手段毎の加熱量等を制御する加熱制御手段と、前記加熱制御手段を制御する制御手段と、前記制御手段に前記加熱手段毎の加熱、停止等を入力する操作手段と、前記制御手段に調理メニューの設定を入力するメニュー設定手段と、前記制御手段にタイマ時間の設定を入力するタイマ設定手段と、前記操作手段からの入力受付時等に報知する報知手段と、前記タイマ設定手段により設定されたタイマ時間を表示するタイマ表示手段と前記加熱手段毎の加熱量等を表示する加熱量表示手段と、前記メニュー設定手段により設定されたメニュー等を表示するメニュー表示手段と、前記加熱手段毎の作動に関する異常を検出し前記制御手段に入力する異常検出手段とを備え、前記制御手段は、前記異常検出手段により異常が検出された場合に、前記加熱制御手段に信号を出力し加熱を停止させるとともに、複数の加熱手段に関する異常が検出された場合には、それぞれの異常原因を優先順位を設けずに交互に前記タイマ表示手段に出力することを特徴とする調理器。
【請求項２】
制御手段は、複数の加熱手段に関する異常が検出され、それぞれの異常原因を前記タイマ表示手段に交互に出力している場合に、前記操作手段の入力により該当する前記加熱手段に関する異常原因表示を解除するとともに、解除されていない複数の異常原因を優先順位を設けずに交互に前記タイマ表示手段に出力することを特徴とする請求項１に記載の調理器。
【請求項３】
制御手段は、加熱手段に関する異常が検出され、異常原因を前記タイマ表示手段に出力するとともに、前記加熱量表示手段に点滅、点灯あるいは消灯の組み合わせにより異常原因をあらわす出力をおこなうことを特徴とする請求項１または２に記載の調理器。
【請求項４】
制御手段は、加熱手段に関する異常が検出された場合に、前記タイマ表示手段の上位側に該当する加熱手段を特定する値を表示し、下位側に異常原因の分類を表示するとともに、前記加熱量表示手段に点滅、点灯あるいは消灯の組み合わせにより異常原因の詳細をあらわす出力をおこなうことを特徴とする請求項１または２に記載のガス調理器。
【請求項５】
請求項１から請求項４のいずれか１項に記載の調理器の全てもしくは一部として、コンピュータを機能させるプログラム。
【発明の詳細な説明】
【技術分野】
【０００１】
本発明は、タイマ等を表示する表示部を設けたガス、電気等を熱源とする調理器に関するものである。
【背景技術】
【０００２】
従来、この種の調理器は複数の加熱源に異常状態が検出された場合に、その中で最も優先順位の高い加熱源に関わる異常原因を表示器に表示するようにしている（例えば、特許文献１参照）。
【０００３】
図１３は、特許文献１に記載された従来の調理器を示すものである。図１３に示すように、表示器４２と、調理容器の温度を検出するサーミスタ４３と、異常を報知する異常報知ランプ４４と、制御装置４７から構成されている。なお、図中４５は調理容器を加熱する加熱手段で、４６は加熱手段４５の加熱、停止等の指示を制御装置４７に入力する操作手段である。
【特許文献１】特公平７−９９２６２号公報
【発明の開示】
【発明が解決しようとする課題】
【０００４】
しかしながら、前記従来例の構成では、複数の加熱源に異常状態が検出された場合に、その中で最も優先順位の高い加熱源に関わる異常原因のみを表示器４２に表示し、その加熱源に対応する異常報知ランプ４４で報知するだけなので、使用者が先に優先順位の低い加熱源の操作手段４６を操作し、異常情報を解除してしまうと、その加熱源の異常原因が何であったかがわからないといった課題を有していた。
【０００５】
本発明は、前記従来の課題を解決するもので、複数の加熱源に異常状態が検出された場合にも、異常情報の解除前にそれぞれの異常原因がわかるようにする調理器を提供することを目的とする。
【課題を解決するための手段】
【０００６】
前記従来の課題を解決するために、本発明の調理器は、鍋を加熱する複数の加熱手段と、加熱手段毎の加熱量等を制御する加熱制御手段と、加熱制御手段を制御する制御手段と、制御手段に加熱手段毎の加熱、停止等を入力する操作手段と、制御手段にタイマ時間の設定を入力するタイマ設定手段と、操作手段からの入力受付時等に報知する報知手段と、タイマ設定手段により設定されたタイマ時間を表示するタイマ表示手段と、加熱手段毎の加熱量等を表示する加熱量表示手段と、加熱手段毎の作動に関する異常を検出し制御手段に入力する異常検出手段とを備え、制御手段は、異常検出手段により異常が検出された場合に、加熱制御手段に信号を出力し加熱を停止させるとともに、複数の加熱手段に関する異常が検出された場合には、それぞれの異常原因を優先順位を設けずに交互にタイマ表示手段に出力する構成としたものである。
【０００７】
これによって、複数の加熱手段に関する異常が検出された場合にも、使用者にそれぞれの異常原因を正確に示すことができる。
【発明の効果】
【０００８】
本発明の調理器は、複数の加熱手段に関する異常が検出された場合にも、それぞれの異常原因を優先順位を設けずに交互にタイマ表示手段に表示することで、それぞれの異常原因を明確にし、操作手段入力による異常情報解除の順序に制約なしに操作できる。
【発明を実施するための最良の形態】
【０００９】
第１の発明は、鍋を加熱する複数の加熱手段と、前記加熱手段毎の加熱量等を制御する加熱制御手段と、前記加熱制御手段を制御する制御手段と、前記制御手段に前記加熱手段毎の加熱、停止等を入力する操作手段と、前記制御手段に調理メニューの設定を入力するメニュー設定手段と、前記制御手段にタイマ時間の設定を入力するタイマ設定手段と、前記操作手段からの入力受付時等に報知する報知手段と、前記タイマ設定手段により設定されたタイマ時間を表示するタイマ表示手段と前記加熱手段毎の加熱量等を表示する加熱量表示手段と、前記メニュー設定手段により設定されたメニュー等を表示するメニュー表示手段と、前記加熱手段毎の作動に関する異常を検出し前記制御手段に入力する異常検出手段とを備え、前記制御手段は、前記異常検出手段により異常が検出された場合に、前記加熱制御手段に信号を出力し加熱を停止させるとともに、複数の加熱手段に関する異常が検出された場合には、それぞれの異常原因を優先順位を設けずに交互に前記タイマ表示手段に出力することを特徴とすることにより、複数の加熱手段が異常により停止した原因が容易にわかり、それぞれに対して適切な対処を速やかに行うことができる。
【００１０】
第２の発明は、特に、第１の発明の制御手段を、複数の加熱手段に関する異常が検出され、それぞれの異常原因を前記タイマ表示手段に交互に出力している場合に、前記操作手段の入力により該当する前記加熱手段に関する異常原因表示を解除するとともに、解除されていない複数の異常原因を優先順位を設けずに交互に前記タイマ表示手段に出力することを特徴とすることにより、優先順位を設けると優先順位の低いほうを解除した場合にその異常原因がわからなくなるといった不具合も発生せず、異常原因の対する対処順序に制約がなくなるとともに、残った複数の異常原因に対してもそれぞれに対して適切な対処を速やかに行うことができる。
【００１１】
第３の発明は、特に、第１の発明または第２の発明の制御手段を、加熱手段に関する異常が検出され、異常原因を前記タイマ表示手段に出力するとともに、前記加熱量表示手段に点滅、点灯あるいは消灯の組み合わせにより異常原因をあらわす出力をおこなうことを特徴とするとすることにより、前記加熱量表示手段の表示が通常の加熱量表示と異なるため、異常の発生した箇所および異常原因が明確になり、適切な対処を速やかに行うことができるとともに、操作手段により異常原因表示を解除したときも、残った箇所を明確にすることができる。
【００１２】
第４の発明は、特に、第１の発明または第２の発明の制御手段を、加熱手段に関する異常が検出された場合に、前記タイマ表示手段の上位側に該当する加熱手段を特定する値を表示し、下位側に異常原因の分類を表示するとともに、前記加熱量表示手段に点滅、点灯あるいは消灯の組み合わせにより異常原因の詳細をあらわす出力をおこなうことを特徴とするとすることにより、前記タイマ表示手段の異常原因表示が簡素化されることとなり、使用者が修理依頼する際に、どの加熱箇所であるかを伝えなかった場合にも、異常箇所並びに異常原因の分類がわかるとともに、前記加熱量表示手段の表示から異常原因の詳細がわかるため、修理部品等の準備及び修理を適切に行うことができる。
【００１３】
第５の発明は、第１から第４のいずれか１つの発明に記載の調理器の全てもしくは一部として、コンピュータを機能させるプログラムである。そして、プログラムであるので汎用コンピュータやサーバーを用いて本発明のプログラムの少なくとも一部を容易に実現できる。また記録媒体に記録したり通信回線を用いてプログラムを配信したりすることでプログラムの配布やインストール作業が簡単にできる。
【００１４】
本発明は、第１の発明から第５の発明の要部を実施の形態とすることにより本発明の目的を達成できるので、各請求項に対応する実施の形態の詳細を、以下に図面を参照しながら説明し、本発明を実施するための最良の形態の説明とする。なお、本実施の形態によって本発明が限定されるものではない。また、各実施の形態の説明において、同一構成並びに同一作用効果を奏するところには、同一符号を付して重複した説明を行わないものとする。
【００１５】
（実施の形態１）
図１は、本発明の実施の形態１における調理器の正面図で、図２は同調理器の制御ブロック図で、図３は同調理器の異常発生時の報知を示す概念図、図４は同調理器の制御のフローチャートである。
【００１６】
図２において、調理器１の加熱手段３は、ゴトク１３に載せた鍋を加熱する。マイクロコンピュータおよびその周辺回路から構成される制御手段２は、加熱制御手段４を制御する。加熱制御手段４は、加熱手段３の加熱、停止と加熱量を制御する。操作手段５は、制御手段２に加熱手段３の加熱、停止等を入力する。加熱量表示手段６は、加熱手段３の加熱状態等を表示する。異常検出手段７は、加熱手段３の加熱状態、加熱制御手段４の作動状態、操作手段５の作動状態等の監視を行い、異常が検出された場合には、制御手段２に異常原因を入力する。第１加熱装置１４、第２加熱装置１５および第３加熱装置１６は、それぞれ加熱手段３、加熱制御手段４、操作手段５、加熱量表示手段６および異常検出手段７から構成されている。タイマ設定手段８は、制御手段２に任意に設定された第１の加熱装置１４の加熱時間を入力する。タイマ表示手段９は、制御手段２からの指示入力により、タイマ設定手段８により設定された加熱時間ならびに異常検出手段７により検出された異常原因を表示する。メニュー設定手段１１は、制御手段２に任意に設定された第１の加熱装置１４の調理メニューを入力する。メニュー表示手段１２は、制御手段２からの指示入力により、メニュー設定手段１１により設定された調理メニューを表示する。制御手段２は、図４に示すステップ（以下、Ｓと表示する）１からＳ１４の制御フローを実行するプログラムを格納し、異常検出手段７からの信号を入力し、異常検出時には加熱制御手段４に信号を出力し、加熱手段３の加熱を停止させるとともに、タイマ表示手段９に出力して異常原因を表示させる構成にしたものである。
【００１７】
図３に異常検出の際の異常表示手段７の表示を示す。例えば第１加熱装置１４で不着火、第２加熱装置１５で立ち消えといった異常が複数の加熱装置で発生した際に、まず第１加熱装置１４を表す装置コードを表示し（表示１７）、次に消灯（ブランク表示１８）、次に第１加熱装置１４に発生した不着火の異常原因コードを表示し（表示１９）、次に消灯（ブランク表示１８）、次に第２加熱装置１５を表す装置コードを表示し（表示２０）、次に消灯（ブランク表示１８）、次に第２加熱装置１５に発生した立ち消えの異常原因コードを表示し（表示２１）、次に消灯（ブランク表示１８）、以上の表示を一定時間毎に繰り返し表示する。
【００１８】
本実施の形態では、第１加熱装置１４に異常があるかを判定し（Ｓ１）、異常があればＳ７へ、異常がなければ第２加熱装置１５に異常があるかを判定し（Ｓ２）、異常があればＳ７へ、異常がなければ第３加熱装置１６に異常があるかを判定し（Ｓ３）、異常があればＳ７へ、異常がなければ表示順序カウンタをクリアする（Ｓ４）。Ｓ５では０．５秒カウンタをクリアし、タイマ表示手段９を消灯状態とする（Ｓ６）。Ｓ７では０．５秒カウンタの内容を見て０．５秒経過したかを判定し、０．５秒経過していなければＳ１２へ進む。Ｓ８では０．５秒カウンタをクリアし、表示順序カウンタをアップする（Ｓ９）。アップした表示順序カウンタが１２かどうかを判定し（Ｓ１０）、１２でない場合はＳ１２に進み、１２の場合には表示順序カウンタをクリアする（Ｓ１１）。Ｓ１２では表示順序カウンタの値が装置コードおよび異常原因コードを表示する場合の０、２、４、６、８、１０のいずれかであるか判定し（Ｓ１２）、そうでない場合（ブランク表示時）はＳ６へ進む。Ｓ１３では表示データ決定処理Ａを実行し、Ｓ１３で決定した内容が格納されている表示バッファの内容を点灯させる（Ｓ１４）。
【００１９】
次に図４のＳ１３で実行する表示データ決定処理Ａについて図５に示す。表示順序カウンタの値が第１加熱装置１４の装置コードまたは異常原因コードを表示する場合の０または２であるか判定し（Ｓ１５）、そうでない場合はＳ２２へ進む。メモリＡに第１加熱装置コードを格納し（Ｓ１６）、メモリＢに第１加熱装置異常原因コードを格納し（Ｓ１７）、メモリＣに第２加熱装置コードを格納し（Ｓ１８）、メモリＤに第２加熱装置異常原因コードを格納し（Ｓ１９）、メモリＥに第３加熱装置コードを格納し（Ｓ２０）、メモリＦに第２加熱装置異常原因コードを格納し（Ｓ２１）、Ｓ３５に進む。Ｓ２２では表示順序カウンタの値が第２加熱装置１５の装置コードまたは異常原因コードを表示する場合の４または６であるか判定し、そうでない場合はＳ２９へ進む。メモリＡに第２加熱装置コードを格納し（Ｓ２３）、メモリＢに第２加熱装置異常原因コードを格納し（Ｓ２４）、メモリＣに第３加熱装置コードを格納し（Ｓ２５）、メモリＤに第３加熱装置異常原因コードを格納し（Ｓ２６）、メモリＥに第１加熱装置コードを格納し（Ｓ２７）、メモリＦに第１加熱装置異常原因コードを格納し（Ｓ２８）、Ｓ３５に進む。Ｓ２９は表示順序カウンタの値が第３加熱装置１６の装置コードまたは異常原因コードを表示する場合の８または１０の場合でありメモリＡに第３加熱装置コードを格納し、メモリＢに第３加熱装置異常原因コードを格納し（Ｓ３０）、メモリＣに第１加熱装置コードを格納し（Ｓ３１）、メモリＤに第１加熱装置異常原因コードを格納し（Ｓ３２）、メモリＥに第２加熱装置コードを格納し（Ｓ３３）、メモリＦに第２加熱装置異常原因コードを格納し（Ｓ３４）、Ｓ３５に進む。Ｓ３５ではメモリＢが０（異常原因コードなし）かどうか判定し、０でない（異常原因コードありの）場合、Ｓ４３に進む。０の場合はメモリＣの内容をメモリＡに格納し（Ｓ３６）、メモリＤの内容をメモリＢに格納し（Ｓ３７）、メモリＥの内容をメモリＣに格納し（Ｓ３８）、メモリＦの内容をメモリＤに格納する（Ｓ３９）。Ｓ４０では表示順序カウンタに４を足し、表示順序カウンタの値が１２以上かどうかを判定し（Ｓ４１）、１２未満の場合はＳ３５へ進み、１２以上の場合は表示順序カウンタから１２を引き（Ｓ１２）、Ｓ３５へ進む。Ｓ３５からＳ４２の処理により、メモリＡおよびメモリＢにそれぞれ、表示順序カウンタに応じた異常のある装置コードおよび異常原因コードが格納される。また、第１加熱装置１４、第２加熱装置１５あるいは第３加熱装置１６の少なくとも１つの装置に異常があるため、Ｓ３５からＳ４２の処理では無限ループになることはない。次にＳ４３では表示順序カウンタの値が装置コードを表示する場合の０、４または８であるか判定し、槽でない場合はＳ４５に進む。Ｓ４４では装置コードが格納されているメモリＡの内容を表示バッファに格納し、Ｓ４５では異常原因コードが格納されているメモリＢの内容を表示バッファに格納し、処理を抜ける。
【００２０】
以上のように、本実施の形態においては、異常検出手段７により異常が検出された場合に、加熱制御手段４に信号を出力し加熱を停止させるとともに、複数の加熱装置に関する異常が検出された場合には、それぞれの異常原因を優先順位を設けずに交互にタイマ表示手段９に出力することにより、複数の加熱手段に関する異常が検出された場合にも、複数の加熱手段が異常により停止した原因が容易にわかり、それぞれに対して適切な対処を速やかに行うことができる。
【００２１】
（実施の形態２）
図１は、本発明の第２の実施の形態における調理器の正面図で、図６は同調理器の異常発生時の報知を示す概念図、図７は同調理器の異常原因解除を示す制御のフローチャートである。本実施の形態は、実施の形態１における図２に示す制御手段２とプログラムのみが異なるだけで、調理器の制御ブロック図は図２と同一である。
【００２２】
図６に異常検出の際の異常表示手段７の表示を示す。図６（ａ）に示すように例えば第１加熱装置１４で不着火、第２加熱装置１５で立ち消え、第３加熱装置１６で温度過昇防止作動といった異常が複数の加熱装置で発生した際に、まず第１加熱装置１４を表す装置コードを表示し（表示２２）、次に消灯（ブランク表示１８）、次に第１加熱装置１４に発生した不着火の異常原因コードを表示し（表示２３）、次に消灯（ブランク表示１８）、次に第２加熱装置１５を表す装置コードを表示し（表示２４）、次に消灯（ブランク表示１８）、次に第２加熱装置１５に発生した立ち消えの異常原因コードを表示し（表示２５）、次に消灯（ブランク表示１８）、次に第３加熱装置１６を表す装置コードを表示し（表示２６）、次に消灯（ブランク表示１８）、次に第３加熱装置１６に発生した温度過昇防止作動の異常原因コードを表示し（表示２７）、次に消灯（ブランク表示１８）、以上の表示を一定時間毎に繰り返し表示する。このように各加熱装置の装置コード、異常原因コードを交互に表示しているときに、加熱装置の異常解除操作後の表示について図６（ｂ）に示すように、例として第２加熱装置で異常解除操作がされた場合に、第１加熱装置１４を表す装置コードを表示し（表示２２）、次に消灯（ブランク表示１８）、次に第１加熱装置１４に発生した不着火の異常原因コードを表示し（表示２３）、次に消灯（ブランク表示１８）、次に第３加熱装置１６を表す装置コードを表示し（表示２６）、次に消灯（ブランク表示１８）、次に第３加熱装置１６に発生した温度過昇防止作動の異常原因コードを表示し（表示２７）、次に消灯（ブランク表示１８）、以上の表示を一定時間毎に繰り返し表示する。
【００２３】
また、本実施の形態は、実施の形態１における図４の制御のフローチャートに示すプログラムを実施することで異常原因解除後の表示についても実現できることより、説明を省略する。次に図７の異常原因解除を示す制御のフローチャートについて、第１加熱装置１４に異常があるか判定し（Ｓ４６）、異常がなければＳ４９へ進み、異常があれば第１加熱装置１４の操作手段５の入力により異常解除操作があったか判定し（Ｓ４７）、操作がなければＳ４９へ進む。異常解除操作があった場合、第１加熱装置１４の異常原因をクリアする（Ｓ４８）。次に第２加熱装置１５に異常があるか判定し（Ｓ４９）、異常がなければＳ５２へ進み、異常があれば第２加熱装置１５の操作手段５の入力により異常解除操作があったか判定し（Ｓ５０）、操作がなければＳ５２へ進む。異常解除操作があった場合、第２加熱装置１５の異常原因をクリアする（Ｓ５１）。次に第３加熱装置１６に異常があるか判定し（Ｓ５２）、異常があれば第３加熱装置１６の操作手段５の入力により異常解除操作があったか判定し（Ｓ５３）、異常解除操作があった場合、第３加熱装置１６の異常原因をクリアする（Ｓ５４）。
【００２４】
以上のように、本実施の形態においては、複数の加熱装置に関する異常が検出され、それぞれの異常原因をタイマ表示手段９に交互に出力している場合に、操作手段５の入力により該当する加熱装置に関する異常原因表示を解除するとともに、解除されていない複数の異常原因を優先順位を設けずに交互にタイマ表示手段９に出力することにより、優先順位を設けると優先順位の低いほうを解除した場合にその異常原因がわからなくなるといった不具合も発生せず、異常原因の対する対処順序に制約がなくなるとともに、残った複数の異常原因に対してもそれぞれに対して適切な対処を速やかに行うことができる。
【００２５】
（実施の形態３）
図１は、本発明の第３の実施の形態における調理器の正面図で、図８は同調理器の異常発生時の報知を示す概念図、図９は同調理器の異常表示をおこなう制御のフローチャートである。本実施の形態は、実施の形態１における図２に示す制御手段２とプログラムのみが異なるだけで、調理器の制御ブロック図は図２と同一である。
【００２６】
図８に異常検出の際の異常表示手段７および加熱量表示手段６の表示を示す。例えば第１加熱装置１４で不着火、第２加熱装置１５で立ち消えといった異常が発生した際に、まず第１加熱装置１４を表す装置コードを表示し（表示２８）、次に消灯（ブランク表示１８）、次に第１加熱装置１４に発生した不着火の異常原因コードを表示し（表示２９）、次に消灯（ブランク表示１８）、次に第２加熱装置１５を表す装置コードを表示し（表示３０）、次に消灯（ブランク表示１８）、次に第２加熱装置１５に発生した立ち消えの異常原因コードを表示し（表示３１）、次に消灯（ブランク表示１８）、以上の表示を一定時間毎に繰り返し表示する。また、それと同時に第１加熱装置１４の加熱量表示手段６に不着火を表す表示を点滅させ（表示３２および表示３３）、第２加熱装置１５の加熱量表示手段６に立ち消えを表す表示を点滅させる（表示３４および表示３５）。ここで例では加熱量表示手段６の点滅で示したが、加熱量表示手段６に示す異常原因表示については異常原因の内容に応じて点滅、点灯あるいは点滅、点灯の組合せでもよい。
【００２７】
上記実施の形態において、制御手段２は、図４に示すプログラムを実行することでタイマ表示手段９に異常の発生している加熱装置コードおよび異常原因コードを表示するとともに、異常の発生している加熱装置の加熱量表示装置６に、異常原因を表示する。図９のに示すように、第１加熱装置１４に異常があるか判定し（Ｓ５５）、異常がなければＳ５７に進む。異常があれば、第１加熱装置１４の加熱量表示手段９に異常原因を表示する（Ｓ５６）。Ｓ５７では第２加熱装置１５に異常があるか判定し、異常がなければＳ５９に進む。異常があれば、第２加熱装置１５の加熱量表示手段９に異常原因を表示する（Ｓ５８）。Ｓ５９では第３加熱装置１６に異常があるか判定し、異常があれば、第３加熱装置１６の加熱量表示手段９に異常原因を表示する（Ｓ６０）。
【００２８】
以上のように、本実施の形態においては、加熱量表示手段９の表示が通常の加熱量表示と異なるため、異常の発生した箇所および異常原因が明確になり、適切な対処を速やかに行うことができるとともに、操作手段５により異常原因表示を解除したときも、残った箇所を明確にすることができる。
【００２９】
（実施の形態４）
図１は、本発明の第４の実施の形態における調理器の正面図で、図１０は同調理器の異常発生時の報知を示す概念図、図１１は同調理器の異常表示をおこなう制御のフローチャートである。本実施の形態は、実施の形態１における図２に示す制御手段２とプログラムのみが異なるだけで、調理器の制御ブロック図は図２と同一である。
【００３０】
図１０に異常検出の際の異常表示手段７および加熱量表示手段６の表示を示す。例えば第１加熱装置１４で異常検出手段７のひとつであるサーミスタのオープン、第２加熱装置１５でサーミスタのショートといった異常が発生した際に、まず第１加熱装置１４を表す装置コード“１”をタイマ表示手段９の上位側に表示するとともに、下位側に異常部位であるサーミスタを表すコード“３”を表示し（表示３６）、次に消灯（ブランク表示１８）、次に第２加熱装置１５を表す装置コード“３”をタイマ表示手段９の上位側に表示するとともに、下位側に異常部位であるサーミスタを表すコード“３”を表示し（表示３７）、次に消灯（ブランク表示１８）、以上の表示を一定時間毎に繰り返し表示する。また、それと同時に第１加熱装置１４の加熱量表示手段６にサーミスタのオープンを表す表示を点滅させ（表示３８および表示３９）、第２加熱装置１５の加熱量表示手段６にサーミスタのショートを表す表示を点滅させる（表示４０および表示４１）。ここで例では加熱量表示手段６の点滅で示したが、加熱量表示手段６に示す異常原因表示については異常原因の内容に応じて点滅、点灯あるいは点滅、点灯の組合せでもよい。
【００３１】
上記実施の形態において、制御手段２は、図１１に示すプログラムを実行する。まず第１加熱装置１４に異常があるかを判定し（Ｓ６１）、異常があればＳ６７へ、異常がなければ第２加熱装置１５に異常があるかを判定し（Ｓ６２）、異常があればＳ６７へ、異常がなければ第３加熱装置１６に異常があるかを判定し（Ｓ６３）、異常があればＳ６７へ、異常がなければ表示順序カウンタをクリアする（Ｓ６４）。Ｓ６５では０．５秒カウンタをクリアし、タイマ表示手段９を消灯状態とする（Ｓ６６）。Ｓ６７では０．５秒カウンタの内容を見て０．５秒経過したかを判定し、０．５秒経過していなければＳ７２へ進む。Ｓ６８では０．５秒カウンタをクリアし、表示順序カウンタをアップする（Ｓ６９）。アップした表示順序カウンタが６かどうかを判定し（Ｓ７０）、６でない場合はＳ７２に進み、６の場合には表示順序カウンタをクリアする（Ｓ７１）。Ｓ７２では表示順序カウンタの値が装置コードおよび異常部位コードを表示する場合の０、２、４のいずれかであるか判定し（Ｓ７２）、そうでない場合（ブランク表示時）はＳ６６へ進む。Ｓ７３では表示データ決定処理Ｂを実行し、Ｓ７３で決定した内容が格納されている表示バッファの内容を点灯させる（Ｓ７４）。
【００３２】
次に図１１のＳ７３で実行する表示データ決定処理Ｂについて図１２に示す。表示順序カウンタの値が第１加熱装置１４の装置コードおよび異常部位コードを表示する場合の０であるか判定し（Ｓ８１）、そうでない場合はＳ８８へ進む。メモリＡの上位に第１加熱装置コードを格納し（Ｓ８２）、メモリＡの下位に第１加熱装置１４の異常部位コードを格納し（Ｓ８３）、メモリＢの上位に第２加熱装置コードを格納し（Ｓ８４）、メモリＢの下位に第２加熱装置１５の異常部位コードを格納し（Ｓ８５）、メモリＣの上位に第３加熱装置コードを格納し（Ｓ８６）、メモリＣの下位に第３加熱装置１６の異常部位コードを格納し（Ｓ８７）、Ｓ１０１へ進む。Ｓ８８では表示順序カウンタの値が第２加熱装置１５の装置コードおよび異常部位コードを表示する場合の２であるか判定し、そうでない場合はＳ９５へ進む。メモリＡの上位に第２加熱装置コードを格納し（Ｓ８９）、メモリＡの下位に第２加熱装置１５の異常部位コードを格納し（Ｓ９０）、メモリＢの上位に第３加熱装置コードを格納し（Ｓ９１）、メモリＢの下位に第３加熱装置１６の異常部位コードを格納し（Ｓ９２）、メモリＣの上位に第１加熱装置コードを格納し（Ｓ９３）、メモリＣの下位に第１加熱装置１４の異常部位コードを格納し（Ｓ９４）、Ｓ１０１へ進む。Ｓ９５ではメモリＡの上位に第３加熱装置コードを格納し、メモリＡの下位に第３加熱装置１６の異常部位コードを格納し（Ｓ９６）、メモリＢの上位に第１加熱装置コードを格納し（Ｓ９７）、メモリＢの下位に第１加熱装置１４の異常部位コードを格納し（Ｓ９８）、メモリＣの上位に第２加熱装置コードを格納し（Ｓ９９）、メモリＣの下位に第２加熱装置１５の異常部位コードを格納し（Ｓ１００）、Ｓ１０１へ進む。Ｓ１０１ではメモリＡの下位が０（異常なし）であるか判定し、０でない（異常ありの）場合、Ｓ１０７に進む。０（異常なし）の場合はメモリＢの内容をメモリＡに格納し（Ｓ１０２）、メモリＣの内容をメモリＢに格納する（Ｓ１０３）。Ｓ１０４では表示順序カウンタに２を足し、表示順序カウンタの値が６以上かどうかを判定し（Ｓ１０５）、６未満の場合はＳ１０１へ進み、６以上の場合は表示順序カウンタから６を引き（Ｓ１０６）、Ｓ１０１へ進む。Ｓ１０１からＳ１０６の処理により、メモリＡに表示順序カウンタに応じた異常のある装置コードおよび異常部位コードが格納される。また、第１加熱装置１４、第２加熱装置１５あるいは第３加熱装置１６の少なくとも１つの装置に異常があるため、Ｓ１０１からＳ１０６の処理では無限ループになることはない。次にＳ１０７では装置コードおよび異常部位コードが格納されているメモリＡの内容を表示バッファに格納し、処理を抜ける。
【００３３】
以上のように、本実施の形態においては、タイマ表示手段９の異常原因表示が簡素化されることとなり、使用者が修理依頼する際に、どの加熱箇所であるかを伝えなかった場合にも、異常箇所並びに異常原因の分類がわかるとともに、加熱量表示手段６の表示から異常原因の詳細がわかるため、修理部品等の準備及び修理を適切に行うことができる。
【産業上の利用可能性】
【００３４】
以上のように、本発明にかかる調理器は、複数の加熱装置に異常が検出された場合に、それぞれの異常原因を優先順位を設けずに交互にタイマ表示手段に出力することにより、新たに表示素子を設けることもなく、また使用者にそれぞれの異常原因を正確に示すことが可能となるので、給湯と暖房等の複数の機能を持った給湯暖房器等の用途にも適用できる。
【図面の簡単な説明】
【００３５】
【図１】本発明の実施の形態１〜４における調理器の正面図
【図２】本発明の実施の形態１〜４における調理器の制御ブロック図
【図３】本発明の実施の形態１における調理器の異常発生時の報知を示す概念図
【図４】同調理器の制御のフローチャート
【図５】同調理器の表示データ決定処理Ａのフローチャート
【図６】本発明の実施の形態２における調理器の異常発生時の報知を示す概念図
【図７】同調理器の異常原因解除を示す制御のフローチャート
【図８】本発明の実施の形態３における調理器の異常発生時の報知を示す概念図
【図９】同調理器の異常表示をおこなう制御のフローチャート
【図１０】本発明の実施の形態４における調理器の異常発生時の報知を示す概念図
【図１１】同調理器の異常表示をおこなう制御のフローチャート
【図１２】同調理器の表示データ決定処理Ｂのフローチャート
【図１３】従来の調理器のブロック図
【符号の説明】
【００３６】
１  調理器
２  制御手段
３  加熱手段
４  加熱制御手段
５  操作手段
６  加熱量表示手段
７  異常検出手段
８  タイマ設定手段
９  タイマ表示手段手段
１０  報知手段
１１  メニュー設定手段
１２  メニュー表示手段
１３  ゴトク
１４  第１加熱装置
１５  第２加熱装置
１６  第３加熱装置
【図１】
2006064234.tif 000003
【図２】
2006064234.tif 000004
【図３】
2006064234.tif 000005
【図４】
2006064234.tif 000006
【図５】
2006064234.tif 000007
【図６】
2006064234.tif 000008
【図７】
2006064234.tif 000009
【図８】
2006064234.tif 000010
【図９】
2006064234.tif 000011
【図１０】
2006064234.tif 000012
【図１１】
2006064234.tif 000013
【図１２】
2006064234.tif 000014
【図１３】
2006064234.tif 000015